(57)【要約】【課題】発泡材を組み入れて成形されたコアアセンブリーと、一以上のプライ材を備えるチェストバンドとを具備し、該チェストバンドはコアアセンブリーの部分に分離して貼り付けられる、実質的に成形されたブラ、特に、主としてチェストバンドに発泡性材のプライがないブラを提供する。【解決手段】ブラジャーを、２つの成形された継ぎ目の無い胸カップと、ブラジャーのユーザーにブラを保持するための少なくとも１つのチェストバンドとから構成し、前記チェストバンドは、一方のまたは両方の前記胸カップに貼り付けられる少なくとも１つのパネル材を備え、該パネル材は、前記成形された継ぎ目の無い胸カップの部分にわたって延在しないようにする。【選択図】図１ａ
0003124719.tif 000002
【実用新案登録請求の範囲】
【請求項１】
部分的に複数のパネル材のアセンブリーによって形成されているブラジャーであって、
前記アセンブリーは、略２つの胸カップ領域と、該２つの胸カップ領域の間のブリッジ領域と、一以上のプライ材を有し、該プライ材が、２つの前記胸カップ領域のうちの少なくとも一の前記胸カップ領域から延在している少なくとも１つのチェストバンドを形成しており、
前記アセンブリーは、
ａ．  実質的に前記２つの胸カップ領域と、前記ブリッジ領域とを形成し、少なくとも、成形された発泡性材料からなる内側のプライと、この成形された発泡性材料からなる内側のプライに積層された、成形された発泡性材料からなる外側のプライとから構成されるコアアセンブリーと、
ｂ．  前記コアアセンブリーの一部分に貼り付けられ、前記チェストバンドを構成するプライ材または一以上のプライ材を実質的に形成する第１のパネル材と、
ｃ．  前記第１のパネル材が前記コアアセンブリーに貼り付けられる領域を含む前記コアアセンブリーの少なくとも一部分に貼り付けられ、オーバーラップしている第２のパネル材と、
を備える、部分的に複数のパネル材のアセンブリーによって形成されたブラジャー。
【請求項２】
前記第２のパネル材は、前記チェストバンドの長さ全体にわたって延在していないことを特徴とする請求項１に記載のブラジャー。
【請求項３】
前記第２のパネル材は、前記チェストバンドの長さ全体の１／２以下を越えて延在していることを特徴とする請求項１に記載のブラジャー。
【請求項４】
前記第１のパネル材は少なくとも織物材料からなる一のプライから構成されることを特徴とする請求項１に記載のブラジャー。
【請求項５】
前記第１のパネル材は織物材料のみでできていることを特徴とする請求項１に記載のブラジャー。
【請求項６】
前記第１のパネル材は前記コアアセンブリーの周囲の一部分で前記コアアセンブリーに貼り付けられていることを特徴とする請求項１に記載のブラジャー。
【請求項７】
前記第１のパネル材は、該第１のパネル材の端部もしくは端部の近傍で前記コアアセンブリーに貼り付けられていることを特徴とする請求項１に記載のブラジャー。
【請求項８】
前記第１のパネル材は、前記コアアセンブリーに縫い合わせによって貼り付けられていることを特徴とする請求項１に記載のブラジャー。
【請求項９】
前記第１のパネル材は、接着手段によって前記コアアセンブリーに貼り付けられていることを特徴とする請求項１に記載のブラジャー。
【請求項１０】
前記第１のパネル材は、熱溶着または超音波溶着の手段によって前記コアアセンブリーに貼り付けられていることを特徴とする請求項１に記載のブラジャー。
【請求項１１】
前記胸カップ領域には継ぎ目がないことを特徴とする請求項１に記載のブラジャー。
【請求項１２】
前記コアアセンブリーには継ぎ目がないことを特徴とする請求項１に記載のブラジャー。
【請求項１３】
前記コアアセンブリーはさらに、前記胸カップ領域の下部周辺領域に、成形された発泡性材料からなる前記内側のプライと、成形された発泡性材料からなる前記外側のプライとの間に挟まれたアンダーワイヤを備えることを特徴とする請求項１に記載のブラジャー。
【請求項１４】
前記第１のパネル材は、実質的に互いに積層された織物材料からなる２つの隣接したプライから構成されることを特徴とする請求項１に記載のブラジャー。
【請求項１５】
２枚の前記第１のパネル材が備えられ、
それぞれの前記第１のパネルは前記コアアセンブリーのそれぞれの前記胸カップ領域に貼り付けられ、それぞれの前記第１のパネル材は留め金を備える自由端部を有し、他の前記第１のパネル材の留め金と協働して２枚の前記第１のパネルを接合し、使用の際には、ユーザーの胸に前記ブラジャーを支持し、
前記第２のパネル材は、それぞれの前記第１のパネルが前記コアアセンブリーに貼り付けられる前記領域を含む前記第１のパネルの少なくとも一部にオーバーラップしていることを特徴とする請求項１に記載のブラジャー。
【請求項１６】
２枚の前記第２のパネル材が備えられ、一方は前記コアアセンブリーの外側に貼り付けられ、他方は前記コアアセンブリーの内側に貼り付けられることを特徴とする請求項１に記載のブラジャー。
【請求項１７】
前記第２のパネル材は、織物材料からなるプライから構成されることを特徴とする請求項１に記載のブラジャー。
【請求項１８】
前記第２のパネル材は、発泡性材のプライと、この発泡性材のプライに積層された織物のプライとから構成され、織物のプライは発泡性材のプライよりも前記コアアセンブリーに対して遠位側に配置されることを特徴とする請求項１に記載のブラジャー。
【請求項１９】
前記第２のパネル材は、前記コアアセンブリーの内側若しくは外側の表面の全体にオーバーラップされることを特徴とする請求項１に記載のブラジャー。
【請求項２０】
前記第２のパネル材は、前記コアアセンブリーに積層されることを特徴とする請求項１に記載のブラジャー。
【請求項２１】
前記第２のパネル材は、前記ブラジャーの外側に設けられることを特徴とする請求項１に記載のブラジャー。
【請求項２２】
前記第２のパネル材は、前記ブラジャーの内側に設けられることを特徴とする請求項１に記載のブラジャー。
【請求項２３】
前記ブラジャーの実質的な端部は超音波溶着されることを特徴とする請求項１に記載のブラジャー。
【請求項２４】
織物材料からなる最も外側のプライは、前記ブラジャーの外側に配置され、前記コアアセンブリーと前記第１のパネル材との両方を越えて延在していることを特徴とする請求項１に記載のブラジャー。
【請求項２５】
前記織物材料からなる最も外側のプライは、該最も外側のプライの端部の実質的な部分を折り返し、この折り返された端部を前記ブラジャーの内側の端部に貼り付けることによって、前記ブラジャーの内側に貼り付けられることを特徴とする請求項２４に記載のブラジャー。
【請求項２６】
前記折り返された端部の前記ブラジャーの内側への貼り付けは接着手段によってなされることを特徴とする請求項２５に記載のブラジャー。
【請求項２７】
織物材料からなる最も内側のプライは前記ブラジャーの内側に配置され、前記コアアセンブリーと前記第１のパネル材との両方を越えて延在していることを特徴とする請求項１に記載のブラジャー。
【請求項２８】
前記コアアセンブリーは一体であることを特徴とする請求項１に記載のブラジャー。
【請求項２９】
前記コアアセンブリーは２つの部分からなり、それぞれの部分が一の前記胸カップ領域を形成しつつ、前記ブリッジ領域において他の部分に接続可能であり、このことによってブラジャーは前開き型に形成されることを特徴とする請求項１に記載のブラジャー。
【請求項３０】
２つの成形された継ぎ目の無い胸カップと、ブラジャーのユーザーに前記ブラを保持するための少なくとも１つのチェストバンドとから構成され、前記チェストバンドは、一方のまたは両方の前記胸カップに貼り付けられるとともに、成形された継ぎ目の無い前記胸カップの部分にわたって延在しない少なくとも１枚のパネル材を備えていることを特徴とするブラジャー。
【考案の詳細な説明】
【技術分野】
【０００１】
本考案は、プライ材のアセンブリーから構成されるブラジャーに関する。
【背景技術】
【０００２】
特許文献１は成形されたブラジャー（以下“ブラ”という）を記載しており、その中では、ブラは成形され、互いに積層されたプライ（plies）のアセンブリーから構成され、ブラ若しくはブラの構成要素を形成している。より具体的には、特許文献１はコアアセンブリーと、このコアアセンブリーを入れる外側及び内側の層とを備えたブラを記載している。内側と外側の層はコアアセンブリーを中に入れるとともに、コアアセンブリーを越えて延在し、ブラのチェストバンドを形成している。特許文献１は、内側及び外側の層はそれぞれ発泡性材の層に積層された織物の層（fabric layer）からなるプライのアセンブリーから構成されるのが好ましいことを記載している。内側及び外側の層それぞれの発泡性材の層は互いの方に向いて設けられ、ブラの内側及び外側に面したそれぞれの表面の一番外側に織物の層が設けられるようになっている。特許文献１に記載された発明に従って製造されるブラは、結果としてブラのチェストバンドが発泡性材のプライを備えるようにしても良い。このことは、状況によっては、またはエンドユーザにとって必ずしも望ましくない場合がある。特に夏季中または暑い気候では、ブラの中の発泡材は最小限とされることが望ましいであろう。発泡性のプライはブラの形状及び形態の完全性を高めるが、エンドユーザにとっては快適性の観点から望ましいものではないであろう。
【０００３】
また、コアアセンブリーまたはブラカップの領域を越えて延び、チェストバンドを形成している少なくともいくつかの、プライ材を含むチェストバンドを有することが制約されると、外観と仕上げとのフレキシビリティも制限され得る。
【特許文献１】米国特許出願公開第２００４／０２２４６０４号明細書
【考案の開示】
【考案が解決しようとする課題】
【０００４】
従って、本考案の目的は、発泡材を組み入れて成形されたコアアセンブリーと、一以上のプライ材を備えるチェストバンドとを具備し、該チェストバンドはコアアセンブリーの部分に分離して貼り付けられる、実質的に成形されたブラを提供すること、特に、主としてチェストバンドに発泡性材のプライがないブラを提供すること、または、少なくとも公に有益な選択肢を提供することである。
【課題を解決するための手段】
【０００５】
このように、第１の特徴において、本考案は、部分的に複数のパネル材のアセンブリーによって形成されたブラジャーであって、前記アセンブリーは２つの胸カップ領域と、該２つの胸カップ領域の間のブリッジ領域と、少なくとも１つのチェストバンドとを略形成し、前記チェストバンドは、一以上のプライ材からなるとともに、２つの胸カップ領域のうちの少なくとも一の胸カップ領域から延在し、前記アセンブリーは、
ａ．  実質的に前記２つの胸カップ領域と、前記ブリッジ領域とを形成し、少なくとも、成形された発泡性材料からなる内側のプライと、この成形された発泡性材料からなる内側のプライに積層された、成形された発泡性材料からなる外側のプライとから構成されるコアアセンブリーと、
ｂ．  前記コアアセンブリーの一部分に貼り付けられ、前記チェストバンドを構成するプライ材または一以上のプライ材を実質的に形成する、第１のパネル材と、
ｃ．  前記第１のパネル材が前記コアアセンブリーに貼り付けられる領域を含む前記コアアセンブリーの少なくとも一部分に貼り付けられ、オーバーラップしている第２のパネル材と、
を備えるブラジャーを構成している。
【０００６】
好ましくは、第２のパネル材は、チェストバンドの長さ全体にわたって延在していない。
【０００７】
好ましくは、第２のパネル材は、チェストバンドの長さ全体の１／２以下を越えて延在している。
【０００８】
好ましくは、第１のパネル材は少なくとも織物材料からなる一のプライから構成される。
【０００９】
好ましくは、第１のパネル材は織物材料のみからなる。
【００１０】
好ましくは、第１のパネル材はコアアセンブリーの周囲の一部分でコアアセンブリーに貼り付けられている。
【００１１】
好ましくは、第１のパネル材は、該第１のパネル材の端部もしくは端部の近傍でコアアセンブリーに貼り付けられている。
【００１２】
好ましくは、第１のパネル材は、コアアセンブリーに縫い合わせによって貼り付けられている。
【００１３】
好ましくは、第１のパネル材は、接着手段によってコアアセンブリーに貼り付けられている。
【００１４】
好ましくは、第１のパネル材は、熱溶着または超音波溶着の手段によって前記コアアセンブリーに貼り付けられている。
【００１５】
胸カップ領域には継ぎ目がないのが好ましい。
【００１６】
コアアセンブリーには継ぎ目がないのが好ましい。
【００１７】
好ましくは、前記コアアセンブリーはさらに、胸カップ領域の下部周辺領域に、成形された発泡性材料からなる内側プライと成形された発泡性材料からなる外側プライとの間に挟まれたアンダーワイヤを備える。
【００１８】
好ましくは、第１のパネル材は、実質的に互いに積層された織物材料からなる２つの隣接したプライから構成される。
【００１９】
好ましくは、２枚の第１のパネル材が備えられ、それぞれの第１のパネルは前記コアアセンブリーのそれぞれの胸カップ領域に貼り付けられ、それぞれの第１のパネル材は留め金を備える自由端部を有し、他の第１のパネル材の留め金と協働して２枚の第１のパネルを接合し、使用の際には、ユーザーの胸にブラジャーを保持し、第２のパネル材は、それぞれの第１のパネルがコアアセンブリーに貼り付けられる領域を含む第１のパネルそれぞれの少なくとも１部分にオーバーラップしている。
【００２０】
好ましくは、２枚の第２のパネル材が備えられ、一方はコアアセンブリーの外側に貼り付けられ、他方はコアアセンブリーの内側に貼り付けられる。
【００２１】
好ましくは、第２のパネル材は、織物材料からなる少なくとも１枚のプライから構成される。
【００２２】
好ましくは、第２のパネル材は、発泡性材のプライと、この発泡性材のプライに積層された織物のプライとから構成され、織物のプライは発泡性材のプライよりもコアアセンブリーに対して遠位側に配置される。
【００２３】
好ましくは、第２のパネル材は、コアアセンブリーの内側若しくは外側の表面の全体にオーバーラップされる。
【００２４】
好ましくは、第２のパネル材は、コアアセンブリーに積層される。
【００２５】
第２のパネル材は、ブラジャーの外側に設けられるのが好ましい。
【００２６】
好ましくは、第２のパネル材は、ブラジャーの内側に設けられる。
【００２７】
好ましくは、ブラジャーの実質的な端部は超音波溶着される。
【００２８】
好ましくは、織物材料からなる最も外側のプライは、ブラジャーの外側に配置され、コアアセンブリーと第１のパネル材との両方を越えて延在している。
【００２９】
好ましくは、前記織物材料からなる最も外側のプライは、該最も外側のプライの実質的な端の部分を折り返し、この折り返された端部をブラジャーの内側の端部に貼り付けることによって、ブラジャーの内側に貼り付けられる。
【００３０】
好ましくは、折り返された端部のブラジャーの内側への貼り付けは接着手段によってなされる。
【００３１】
好ましくは、織物材料からなる最も内側のプライはブラジャーの内側に配置され、コアアセンブリーと第１のパネル材との両方を越えて延在している。
【００３２】
好ましくは、コアアセンブリーは一体物である。
【００３３】
好ましくは、コアアセンブリーは２つの部分からなり、それぞれの部分が一つの胸カップ領域を形成しつつ、それぞれの部分はブリッジ領域において他の部分に接続可能であり、このことによってブラジャーは前開き型に形成されている。
【００３４】
第２の特徴において、本考案は、成形された継ぎ目の無い２つの胸カップと、ブラジャーのユーザーにブラを保持するための少なくとも１つのチェストバンドとから構成され、チェストバンドは、一方のまたは両方の胸カップに貼り付けられるとともに、成形された継ぎ目の無い胸カップの部分にわたって延在しない少なくとも１枚のパネル材を備えている。
【考案を実施するための最良の形態】
【００３５】
本考案の好ましい形態は、ここでは添付の図面を参照して記述されている。
【００３６】
図１ａは、本考案に係るブラ１０を示している。ブラ１０は、２つの胸カップ領域２０，２１と、これら２つの胸カップ領域の間のブリッジ２２とからなる。ぞれぞれの胸カップ領域２０，２１は、これら胸カップ領域２０，２１から延在するチェストバンド領域２３，２４をそれぞれ備えている。図１ａに示された例において、ブラは後ろ開きのブラである。チェストバンド領域２３，２４は、それらの自由端部に、選択的にともに係合することのできる、相互に協働する留め金２６，２７を備えている。また、図１ａのブラは、肩紐２８，２９を備え、付加的な支持とブラ１０をつける人のための快適さとを提供している。しかしながら、本考案に係るブラは、同時に肩紐２８，２９がないストラップレスの種類であっても良い。また、本考案に係るブラは、留め金がブリッジ２２に設けられ得る前開きのブラであっても良い。前開きのブラでは、両方の胸カップ領域２０，２１から、両方の胸カップ領域２０，２１の間に延びる、１つのチェストバンドだけがあっても良い。
【００３７】
本考案のブラは、ブラを形成しているいくつかの構成要素の成形と積層とによって形成されるのが好ましい。したがって、本考案のブラは一般的には成形されたブラと考えられても良いが、ブラの構成要素のいくつかはそれらの形状および形態を形成するために成形を条件とされる必要はない。本質的には成形工程によって形状、および形態を形成するのは胸カップ領域２０及び２１である。本考案のブラを形成するための、構成要素の形成、ブラのサブアセンブリー、およびそれらの協力との参考は、下文に詳細に記述される。
【００３８】
図２bを参照して本考案に係るブラの背面図が示されており、そこには（後述の）ヘミング（hemming）の技法がブラの縁部の仕上げに用いられている。図２aはヘム仕上げされた（hem finished）端部の代わりに、例えば超音波溶着された端部が示されている。
【００３９】
ブラは、図３に示すように、ブラのコアアセンブリー３０の周りを基準にして形成しても良い。コアアセンブリー３０は一以上のプライ材から構成され、プライはともに積層され、２つのカップ領域３１，３２を形成するために成形されている。これらカップ領域３１，３２は、複数の積み重ねられたプライまたは材料層から形成され、それぞれのプライまたは層は、コアアセンブリー３０の２つのカップ領域とブリッジ領域３３とを越えて連続していても良い。このようなコアアセンブリーは一体物である。選択的に２つの独立したカップがそれぞれ材料のプライを成形することによって形成されても良く、そのようなカップはその後、ブリッジ領域３３で接続されても良い。このようなコアアセンブリーは実際に共に接続された２つの部分からなっている。ここで参考とされたコアアセンブリーは、少なくともこれら２つのコアアセンブリーの形態、すなわち、単一のアセンブリーとブリッジ領域３３で接続された２つの独立したカップからなるアセンブリーと、を含んでいる。好ましい形態において、コアアセンブリー３０は互いに積層された発泡性材料からなる２つのプライから構成される。それぞれのカップ領域の中では、アンダーワイヤ３５がカップ領域の下部周縁で発泡性材料の２つのプライの間に挟まれていても良い。ブリッジ領域３３には、２つのカップ領域３１，３２の間のブリッジ領域の剛性を高めるために、補強布３４が備えられても良い。補強布３４、またはどんな可撓性の材料であっても補強布の代わりの材料は、少なくとも２つのカップ領域３１，３２の間の引っ張り方向においては実質的に非弾性であることが望ましく、このことによって補強布３４は、カップ領域３１，３２が互いから引き離されることを妨げる。
【００４０】
図４を参照すると、コア３０を形成するために用いることのできるプライ材が例として示されている。図４を参照すると、コアアセンブリー３０が、発泡性材料の他のプライ３７に積層された発泡性材料のプライ３６からなることを見てとることができる。２つの発泡性のプライ３６，３７の積層は、プライを好適な形状(shape）と形態（form）に形成する前に接着剤を使用することによって行われても良い。プライ材は平坦なシートとして共に積層されても良く、次いでそのようなシートにカップの形態を形成するために成形装置による圧力及び／または熱がかけられることによって成形されるようにしてもよい。図３に示されたような種類の周囲形状は、同時にまたはその後に形成してもよい。プライ３６，３７が作られる、成形可能なプライ材の成形の技法は、従来技術に良く知られている。  特許文献１はコアアセンブリーの変型とその作製方法を記述しており、ここで参考にされている。
【００４１】
２つの発泡性材のプライ３６，３７の中間にしっかり接続されているものは、コア３０のブリッジ領域３３に補強を与える補強布３４であって良い。
【００４２】
ここで、“内”、“外”、またはこれらと同様の言葉で参照される場合、それらはブラを着用する人の体との関係であると理解される。例えば、“最も内”、“内側の”、または“内側領域”は、ブラのより外側の部分／構成要素／サブアセンブリーよりも着用者の体に近いブラの側である。
【００４３】
また、付加的な、例えば発泡性材料のプライ３６及び／またはプライ３７の外側に面する側に配置された織物材料のプライのようなプライ材がコアアセンブリー３０に含まれていても良い。発泡性のプライ３６，３７を組み入れることにより、ブラのカップ状に形成された領域に形態性と剛性とを付加しており、ここでコアアセンブリーが最後に組み入れられる。
【００４４】
図５を参照すると、コアアセンブリー３０はパネル材３９，４０と結合され、このパネル材３９，４０は、少なくともチェストバンド２３，２４の部分を形成するのに最終的に役立っている。それぞれのパネルは好ましくは織物材料の一のプライまたは複数のプライからなっている。パネル材３９，４０は、それぞれがコアアセンブリー３０の一部分の所定の位置に貼り付けられ、チェストバンド２３，２４の一部または全部を最終的に形成することができるようにしている。図６において理解されるように、パネル３９，４０は単一のプライパネルであるが、それらはそれぞれ、交互に複数の材料のプライから構成されていても良い。それらも同様に、他のプライによって少なくとも部分的に覆われていても良く、または他のプライが上に重ねられていても良い。
【００４５】
パネル３９，４０のそれぞれは、好ましくはコアアセンブリー３０の周囲または周囲の一部に貼り付けられている。好ましくは、パネル３９，４０のそれぞれの端部領域、もしくは端部領域の一部分はコアアセンブリー３０に貼り付けられている。貼り付けは、例えば縫い目４２，４３によってなされても良い。貼り付けの選択的な方法は、例えば、超音波溶着、接着剤による貼り付け、またはこれらの組み合わせを含む。パネル３９，４０は、それぞれが、少なくとも２枚の重なった織物材料からなるプライからなる、複数プライのアセンブリーであって良く、この場合、織物材料からなるプライは少なくとも互いに重なった領域で貼り付けられ、または積層されている。パネル３９，４０は、発泡性材のプライを含まないのが好ましい。
【００４６】
パネル３９，４０が最終的にブラのチェストバンド２３，２４になり、またパネル３９，４０によってのみチェストバンド２３，２４が構成される、好ましい形態において、パネル３９，４０のそれぞれは、互いに積層された２枚の織物材料のプライから構成されている。１枚の織物材料の単一プライでチェストバンドを形成することは可能であるが、その性能は伸縮性（伸ばすことができすぎる）、及び弾性（弾性が十分でない）の面でおよそ望ましくありそうでない。織物材料からなる２枚のプライでチェストバンドを形成すると、チェストバンドの伸縮性及び弾性は改善される。
【００４７】
選択的な形態において、パネル３９，４０はブラのチェストバンドを構成する、プライ材の全アセンブリーのうちの一部分のみを形成しても良い。チェストバンドを構成する他の部分は、ブラのコアアセンブリーまたはカップ領域を超えて延在することのできる一以上のプライ（後述するプライ６９及び／またはプライ７６のような）によって形成されてもよい。また、例えばコアアセンブリーを覆う最も外側の織物材料のプライは、パネル３９，４０を構成する一のプライまたは複数のプライの少なくとも一部、好ましくは全部を超えて延在しても良い。この場合、それぞれのパネル３９，４０は好ましくは織物材料の単一プライから構成されていて良いが、二以上のプライから構成されていることも可能ではある。実際上、好ましくは、それぞれのチェストバンドは依然として少なくとも２枚の織物材料からなるプライから構成されており、そのうちの一以上が、コアアセンブリーを覆う最も外側の織物からなる一枚のまたは複数のプライによって形成するされ、また、一以上が、コアアセンブリーに一部重なりつつ取り付けられたパネル３９またはパネル４０によって形成されている。
【００４８】
好ましい形態において、パネル３９，４０とコアアセンブリー３０のそれぞれのカップ領域との間の、貼り付けを容易にするオーバーラップした部分は、コアアセンブリー３０の最も外側のプライの外側に向いた表面に作られる。すなわち、パネル３９，４０は発泡性プライ３６に貼り付けられる。図７を参照して選択的な表面形状が示されており、そこではパネル４０は発泡性プライ３７のようなコアアセンブリー３０の最も内側のプライに配置されている。パネル３９，４０は好ましくは十分な広さに大きめに作られ、次いで縁かがりされ、及び／または形成され、これによってチェストバンド２３，２４はブラの組立工程の後の段階で形成され得る。選択的に、それぞれのパネル３９，４０は、それらの最終的な形態どおりの形に作られても良い。
【００４９】
コアアセンブリー３０は、表面を覆う、２枚のパネル材の間に配置される(captured)のが好ましい。図８及び図９を参照すると、カバーパネル５０，５１は、それぞれコアアセンブリー３０より外側、及び、内側に配置されている。外側のカバーパネル５０はコアアセンブリー３０の外側表面に隣接しているのが好ましく、内側のカバーパネル５１はコアアセンブリー３０の内側表面に隣接しているのが好ましい。また、カバーパネル５０，５１は、チェストバンド２３，２４の少なくとも一部分を形成するパネル３９，４０それぞれの内側表面５３及び外側表面５４に隣接する部分まで少なくとも延在しているのが好ましい。本考案のブラの製造中のカバーパネル５０，５１は、最初はコアアセンブリー３０より大きいサイズであることが好ましい。カバーパネル５０，５１は、後に縁かがりされることができ、縁かがりされることによってそのようなパネルが設けられた領域の適正な境界を形成することができる。
【００５０】
外側のカバーパネル５０は、織物または発泡材からなる複数のプライのアセンブリーであるのが好ましいが、織物材料の単一プライであっても良い。内側のカバーパネル５１は、同様に織物または発泡材からなる複数のプライのアセンブリーであるのが好ましいが、同様に織物材料の単一プライであっても良い。カバーパネル５０，５１の一方、または両方が複数のプライのアセンブリーである場合には、発泡材のプライは織物のプライよりもコアアセンブリー３０に近くに配置される方が好ましい。
【００５１】
最も好ましい形態においては、カバーパネル５０，５１のそれぞれは、発泡性材料のプライに積層された織物材料のプライから構成される。
【００５２】
カバーパネル５０，５１は、コアアセンブリー３０のそれぞれの表面側とパネル３９，４０の一部分とに接着剤で積層されているのが好ましい。また、このような接着剤による積層は、好ましくは成形力、圧力及び温度の適用を伴っていても良く、これによってカバーパネル５０，５１は望ましく、適正なカップ形態を形成されることができる。
【００５３】
外側カバーパネル５０及び内側カバーパネル５１は、成形段階の間に、コアアセンブリー３０及びパネル３９，４０の一部分に熱接着されても良く、または、選択的にもしくはそれに加えて、コアアセンブリー３０及びパネル３９，４０の一部分との積層をより強固にするために接着剤が使用されても良い。
【００５４】
一方のまたは両方のカバーパネル５０，５１は、それぞれのパネルがそれぞれの側の縫い目４２，４３の上に被さるように延在し、ブラの内側及び外側の一方または両方から見えないように、この領域を覆い隠すようにするのが好ましい。カバーパネル５０，５１の発泡性材料のプライがコアアセンブリーの表面に隣接する好ましい形態では、発泡性材料のプライは、コアアセンブリー３０の境界または少なくとも境界の一部をよく見えないようにするのに役立つ。
【００５５】
また、カバーパネル５０，５１の一方または両方は、パネル３９，４０の全体を覆うように延在しても良いが、それらの本来の機能は継ぎ目４２，４３（存在するならば）またはパネル３９，４０をコアアセンブリー３０に取り付けるすべての他の取り付け方法を覆って、ブラの内側及び／または外側にそれらが見えないようにすることである。
【００５６】
チェストバンドを構成するプライの数は好ましくは２枚であり、カバーパネル５０，５１（発泡性材料を含んでも良い）がチェストバンドとほんの少しオーバーラップする継ぎ目４２，４３（もし存在するとすれば）に隣接するところ以外にはチェストバンドに発泡性材料がないのが好ましい。
【００５７】
好ましい形態において、内側のカバーパネル５１はパネル３９，４０のそれぞれに端部６０，６１を有し、これらの端部６０，６１はパネル３９，４０をそれぞれ越えて延びている。これら端部は、直線的または湾曲していても良く、スカラップ形状（図１bに示すような）または他の直線的でない形状でも良い。なおまた、好ましい形態において、外側のカバーパネル５０はパネル３９，４０のそれぞれに端部６２，６３をそれぞれ有し、これらの端部６２，６３はそれぞれがパネル３９，４０をそれぞれ越えて延びている。これら端部もまた、直線的または湾曲していても良く、スカラップ形状または他の直線的でない形状でも良い。端部６０，６２と端部６１，６３とは互いに並行であっても、また平行でなくても良く、または互いに並列していても良く、並列していなくても良い。内部パネル５１の端部６０，６１の図は図９では少し分解図(exploded view) 的に示しているが、ここで、端部６１または端部６０においてパネル５１は、実際にはパネル３９，４０それぞれの内面５３に隣接し、好ましくは接触している。この接触した状態が図１０に示されている。
【００５８】
図１aを参照すると、端部６２，６３はブラの外面に見えるように示されている。内側の、及び／または外側のカバーパネル５０，５１は選択的にチェストバンド全体に隣接していても良く、この場合、そのような端部６３，６４及び／または端部６０，６１がチェストバンドを越えて存在することはない。
【００５９】
本考案の任意の変型において、最も外側のプライ６９は外側のカバーパネル５０の上に設けられても良く、パネル３９，４０のそれぞれの外側に面した表面５４の少なくとも一部、好ましくは全部に重なっていて良い。製造工程では、最も外側のプライ６９は好ましくは織物材料からなるプライであって、カバーパネル５０とパネル３９，４０との、少なくとも露出し、外側に面した表面に隣接して貼り付けられるのが好ましい。最も外側のプライ６９の適用によって端部６２，６３は見え難くなる。
【００６０】
また、最も内側のプライ７６は内側のカバーパネル５１とパネル３９，４０との内側に面した表面に設けられて良い。最も外側のプライ６９及び／または最も内側のプライ７６は、接着性の積層によって、及び／または、圧力、熱及び／または成形をかけることによって設けられても良く、このようにして設けられることによって適正に貼り付けられることができる。
【００６１】
最も外側のプライ６９は、ブラの周囲の本体部分付近にヘムを形成するのに十分な大きさにされても良い。ヘムは、図２bを参照して示したように、ブラの外周縁の実質的な部分でブラの内側に形成されるのが好ましい。ヘムは、最も外側のプライが設けられるパネルとプライとの端部付近で、最も外側のプライの周辺領域を折り返すことによって形成されても良く、折り返されたプライの周辺領域はパネルとプライとの端部に貼り付けられ、ブラの端部を“シール”することができ、ヘムを形成することによって、プライとパネルとの端部での、コアアセンブリー３０の発泡性のパネルの露出、及びすべての他のプライ材の露出を防ぐことができる。折り返された領域は、それが取り付けられるパネルまたはプライに接着フィルムの使用によるような縫製ではない手段で貼り付けられるのが好ましい。また、折り返された領域は、それが取り付けられるパネルまたはプライに縫い付けられても良いが、そのような方法は好ましくない。最も外側のプライ６９の折り返されない部分は、最も外側のプライ６９が配置され、または選択的に貼り付けられるパネルまたはプライに関して外れた状態のままでも良い。
【００６２】
上述のヘミングの技法及び／または最も外側のプライ６９は、すべてのブラに適用されなければならないわけではない。ヘム及び/または最も外側のプライ６９は発泡性材を含むカバーパネル５０，５１のみを覆うことも可能である。
【００６３】
ここに記載されたヘミングの技法は、既存の継ぎ目が除外され、または実質的に除外される継ぎ目なしブラの端部仕上げの１つの方法である。選択的なブラの端部仕上げは、図２aに示されたブラのような超音波シール、オーバーロック(overlock)縫い、パイピングの適用、または、ヘムを形成する材料の一の細長片もしくは複数の細長片の適用による端部仕上げを伴って達成されることができる。カバーパネル５０を覆う最も外側のプライがない場合には、カバーパネル５０，５１が存在するブラの端部は超音波でシールされるのが好ましく、一方のまたは両方のカバーパネルが発泡性のプライを有する場合にはこのようにすることによってカバーパネルの発泡材がカバーパネルの端部で包み隠されるのが好ましい。また、カバーパネルの一方（好ましくは外側のカバーパネル）が織物のプライのみでできている場合は、この織物のプライは少なくともブラの端の部分にヘムを形成するのに十分な大きさにされることができる。
【００６４】
ここに記述された発泡性の材料は、ポリウレタン、メモリーフォーム(memory foam)、または他の好適な発泡性材料であって良い。ここに記述された織物材料は、ナイロン、スパンデックス(spandex)または他の好適な織物材料であって良い。
【００６５】
本考案の一の利点は、分離して作製された、コアアセンブリーに取り付けられるべきチェストバンドが、コアアセンブリーへの取り付けが行われる前にチェストバンドに付け加えられた“特別の効果”、−すなわち、コアアセンブリーを中に入れる内側及び外側の層とは異なる模様、色、材料など−を簡単に有することができる点であり、これによって、例えば最終のブラ製品の外観のようなデザインにおけるフレキシビリティを高めることができる点である。
【００６６】
他の一つの利点は、ここに記述したようにブラが発泡性の材料に基づいたコアアセンブリーを備える場合において、実質的に発泡性の材料を有しないブラのチェストバンドがこの考案によって作製可能であるということである。
【００６７】
本考案は、本考案の特定の実施形態を参照して記述されたが、そのような実施形態は、本考案の技術的範囲から逸脱せずに変更し変形することが可能であり、本考案は、請求項に挙げた技術的範囲内のすべての実施形態を含むことが理解されるであろう。
【図面の簡単な説明】
【００６８】
【図１ａ】ブラの正面図を示す。
【図１ｂ】図１ａのブラとは別の縁仕上げを施されたブラの正面図を示す。
【図２ａ】ブラの周縁にヘミングが施されていない図１に示すブラの背面図を示す。
【図２ｂ】ブラの周縁の少なくとも一部に縁かがリが施された図２ａのブラの変型を示す。
【図３】ブラのコアアセンブリーの正面図を示す。
【図４】図３のＡＡにおける断面図を示す。
【図５】チェストバンドまたはバンドの全体または一部分を形成するために、パネルに取り付けられた図３のコアアセンブリーの正面図である。
【図６】図５のＢＢにおける断面図である。
【図７】図６に示したものとは少し異なる相対的配置におけるＢＢの断面図を示す。
【図８】ブラのアセンブリーの構成要素の正面図である。
【図９】図８のＣＣにおける断面図である。
【図１０】プライ材のアセンブリーを示す図９に示された領域の一部分を示す。
【図１１】図９に示された、結果として得られたアセンブリーに取り付けられ得る任意の更なる一枚のプライ、複数のプライ、またはプライのアセンブリーを示す。
【符号の説明】
【００６９】
１０：ブラ
２０，２１：胸カップ領域
２２：ブリッジ
２３，２４：チェストバンド領域
３０：コアアセンブリー
３９，４０：パネル
５０，５１：カバーパネル
６９：最も外側のプライ
７６：最も内側のプライ
【図１ａ】
0003124719.tif 000003
【図１ｂ】
0003124719.tif 000004
【図２ａ】
0003124719.tif 000005
【図２ｂ】
0003124719.tif 000006
【図３】
0003124719.tif 000007
【図４】
0003124719.tif 000008
【図５】
0003124719.tif 000009
【図６】
0003124719.tif 000010
【図７】
0003124719.tif 000011
【図８】
0003124719.tif 000012
【図９】
0003124719.tif 000013
【図１０】
0003124719.tif 000014
【図１１】
0003124719.tif 000015